(57)【要約】 【課題】  モードダイヤルで大モードを、詳細モード設定画面で詳細モードをそれぞれ選択できるデジタルカメラにおいて、大モードに詳細モードが１つのみ含まれる場合、詳細モードの選択が不可となり詳細モード選択画面が表示されない。モードダイヤルの位置によって詳細モード選択画面が表示されないことに気づかないユーザが混乱する恐れがある。【解決手段】  撮影モードに従属して利用不能になっているボタンを操作したときにガイダンスを表示する。【選択図】図４
2014235197.tif 000002
【特許請求の範囲】
【請求項１】
第１の撮影モードを切り換える第１のモード切り換え手段（Ｓ４０２）と、
前記第１の撮影モードに含まれる第２の撮影モードを切り換える第２のモード切り換え手段（Ｓ４０６）と、
前記第２のモード切り換え手段を発動するモード切り換え発動手段（Ｓ４０４）と、
を備え、
前記第２の撮影モードは１つまたは複数あり、
前記第２の撮影モードが複数ある場合は前記第２の撮影モード切り換え手段を発動し、
前記第２の撮影モードが１つの場合は第２の撮影モード切り換え手段が無効であることを通知することを特徴とする撮像装置。
【請求項２】
第１のモード切り換え手段は、撮像装置に備えられた物理的な操作部材であることを特徴とする請求項１に記載の撮像装置。
【請求項３】
情報表示部（１１１）を備え、前記第２の撮影モード切り換え手段は前記情報表示部に表示される撮影モード選択画面であることを特徴とする請求項１に記載の撮像装置。
【請求項４】
タッチパネル（１２３）を備え、前記モード切り換え発動手段はタッチボタンであることを特徴とする請求項１に記載の撮像装置。
【請求項５】
前記第２の撮影モード切り換え手段が無効である通知は、前記表示部に表示されるガイダンスであることを特徴とする請求項１に記載の撮像装置。
【発明の詳細な説明】
【技術分野】
【０００１】
本発明はデジタルカメラのガイダンス表示方法に関する。
【背景技術】
【０００２】
近年、デジタルカメラの機能向上によって撮影モードが多様化している。これらの撮影モードをユーザが選択することで、カメラに不慣れなユーザでも撮影シーンに合わせた最適な設定で簡単に撮影することが可能である。撮影モードの数が増えたことにより、従来から撮影モードの切り換えに使用している物理操作部材で大モードを選択させ、さらに大モードに含まれる詳細モードをカメラのＵＩ（ＵｓｅｒＩｎｔｅｒｆａｃｅ）選択画面で切り換えさせるカメラがある。
【０００３】
大モードに複数の撮影モードが含まれている場合はＵＩ選択画面で詳細モード詳細モードを選択可能であるが、１つしか含まれていない場合はこのＵＩ選択画面は利用不可となる。このとき、物理操作部材の設定位置によってＵＩ選択画面が利用不可になっていることに気づかないユーザはＵＩ選択画面を表示することができないことによって混乱する可能性がある。
【０００４】
操作部材を無効操作にするか否かを設定し、無効状態で部材を操作されたときは無効警告を表示する発明がなされている（特許文献１参照）。
【先行技術文献】
【特許文献】
【０００５】
【特許文献１】特開２０１２−１８９８８３号公報
【発明の概要】
【発明が解決しようとする課題】
【０００６】
特許文献１の方法はユーザが自ら無効設定を行った操作部材に対して警告を通知するものであるため、本発明のようなユーザが意図せずに操作部材が無効になっている場合に操作部材の無効を通知することはできない。
【課題を解決するための手段】
【０００７】
前記課題を解決するための撮像装置は以下に示される。
第１の撮影モードを切り換える第１のモード切り換え手段と、
前記第１の撮影モードに含まれる第２の撮影モードを切り換える第２のモード切り換え手段と、
前記第２のモード切り換え手段を発動するモード切り換え発動手段と、
を備え、
前記第２の撮影モードは１つまたは複数あり、
前記第２の撮影モードが複数ある場合は前記第２の撮影モード切り換え手段を発動し、
前記第２の撮影モードが１つの場合は第２の撮影モード切り換え手段が無効であることを通知することを特徴とする撮像装置。
【発明の効果】
【０００８】
以上説明したように本発明によれば、ユーザが意図せずに操作部材が無効になっている場合に操作部材の無効を通知することでユーザの混乱を軽減することができる。
【図面の簡単な説明】
【０００９】
【図１】本実施例を実現するためのシステム図である。
【図２】デジタルカメラの外観を示した図である。
【図３】撮影モードの一覧を説明する表である。
【図４】撮影モードの切り換え処理の流れを説明するフロー図である。
【図５】撮影モード切り換えの画面表示を説明する図である。
【発明を実施するための形態】
【００１０】
本発明ではモード切り換えダイヤルとタッチパネルを有するデジタルカメラを例に、無効なタッチに対する警告を表示する方法について説明を行う。
【００１１】
図１は、本実施形態によるデジタルカメラ１００の構成例を示すブロック図である。
【００１２】
図１において、撮影レンズ１０４はズームレンズ、フォーカスレンズを含むレンズ群である。シャッター１０５は絞り機能を備えるシャッターである。撮像部１０６は光学像を電気信号に変換するＣＣＤやＣＭＯＳ素子等で構成される撮像素子である。Ａ／Ｄ変換器１０７は、アナログ信号をデジタル信号に変換する。Ａ／Ｄ変換器１０７は、撮像部１０６から出力されるアナログ信号をデジタル信号に変換するために用いられる。バリア１０３は、デジタルカメラ１００の、撮影レンズ１０４を含む撮像系を覆うことにより、撮影レンズ１０４、シャッター１０５、撮像部１０６を含む撮像系の汚れや破損を防止する。
【００１３】
画像処理部１０２は、Ａ／Ｄ変換器１０７からのデータ、又は、メモリ制御部１０８からのデータに対し所定の画素補間、縮小といったリサイズ処理や色変換処理を行う。また、画像処理部１０２では、撮像した画像データを用いて所定の演算処理が行われ、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０２では更に、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器１０７からの出力データは、画像処理部１０２及びメモリ制御部１０８を介して、或いは、メモリ制御部１０８を介してメモリ１０９に直接書き込まれる。メモリ１０９は、撮像部１０６によって得られＡ／Ｄ変換器１０７によりデジタルデータに変換された画像データや、表示部１１１に表示するための画像データを格納する。メモリ１０９は、所定枚数の静止画像や所定時間の動画像および音声を格納するのに十分な記憶容量を備えている。
【００１５】
また、メモリ１０９は画像表示用のメモリ（ビデオメモリ）を兼ねている。Ｄ／Ａ変換器１１０は、メモリ１０９に格納されている画像表示用のデータをアナログ信号に変換して表示部１１１に供給する。こうして、メモリ１０９に書き込まれた表示用の画像データはＤ／Ａ変換器１１０を介して表示部１１１により表示される。表示部１１１は、ＬＣＤ等の表示器上に、Ｄ／Ａ変換器１１０からのアナログ信号に応じた表示を行う。Ａ／Ｄ変換器１０７によって一度Ａ／Ｄ変換されメモリ１０９に蓄積されたデジタル信号をＤ／Ａ変換器１１０においてアナログ変換し、表示部１１１に逐次転送して表示することで、電子ビューファインダとして機能し、スルー画像表示を行える。
【００１６】
不揮発性メモリ１１４は、電気的に消去・記録可能なメモリであり、例えばＥＥＰＲＯＭ等が用いられる。不揮発性メモリ１１４には、システム制御部１０１の動作用の定数、プログラム等が記憶される。ここでいう、プログラムとは、本実施形態にて後述する各種フローチャートを実行するためのプログラムのことである。
【００１７】
システム制御部１０１は、デジタルカメラ１００全体を制御する。前述した不揮発性メモリ１１４に記録されたプログラムを実行することで、後述する本実施形態の各処理を実現する。１１３はシステムメモリであり、ＲＡＭが用いられる。システムメモリ１１３には、システム制御部１０１の動作用の定数、変数、不揮発性メモリ１１４から読み出したプログラム等を展開する。また、システム制御部はメモリ１０１、Ｄ／Ａ変換器１１０、表示部１１１等を制御することにより表示制御も行う。
【００１８】
システムタイマー１１２は各種制御に用いる時間や、内蔵された時計の時間を計測する計時部である。
【００１９】
撮影モード切り換えダイヤル（以下モードダイヤルと呼ぶ）１１７、第１シャッタースイッチ１０６ａ、第２シャッタースイッチ１０６ｂ、操作部１１５はシステム制御部１０１に各種の動作指示を入力するための操作手段である。
【００２０】
モードダイヤル１１７は、システム制御部１０１の撮影動作モードを静止画全自動モード、静止画シーンモード、静止画応用モード、動画モードのいずれかに切り換える。前記モードと各モードに含まれる詳細モードについては後述する。また切り換え方法についても後述する。
【００２１】
第１シャッタースイッチ１１６ａは、デジタルカメラ１００に設けられたシャッターボタン１１６の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２２】
第２シャッタースイッチ１１６ｂは、シャッターボタン１１６の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０６からの信号読み出しから記録媒体１２２に画像データを書き込むまでの一連の撮影処理の動作を開始する。
【００２３】
操作部１１５の各操作部材は、表示部１１１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１１１に表示される。利用者は、表示部１１１に表示されたメニュー画面と、上下左右の４方向ボタンやＳＥＴボタンとを用いて直感的に各種設定を行うことができる。
【００２４】
電源制御部１１９は、電池検出回路、ＤＣ−ＤＣコンバータ、通電するブロックを切り換えるスイッチ回路等により構成され、電源ボタン１１８の状態、電池の装着の有無、電池の種類、電池残量の検出を行う。また、電源制御部１１９は、その検出結果及びシステム制御部１０１の指示に基づいてＤＣ−ＤＣコンバータを制御し、必要な電圧を必要な期間、記録媒体１１２を含む各部へ供給する。
【００２５】
電源部１２０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１２１は、メモリカードやハードディスク等の記録媒体１２２とのインターフェースである。記録媒体１２２は、撮影された画像を記録するためのメモリカード等の記録媒体であり、半導体メモリや磁気ディスク等から構成される。スピーカー１２４はシステム内部の状態を音声として通知するために使用される。
【００２６】
なお操作部１１５の一つとして、表示部１１１に対する接触を検知可能なタッチパネル１２３を有する。タッチパネル１２３と表示部１１１とは一体的に構成することができる。例えば、タッチパネル１２３を光の透過率が表示部１１１の表示を妨げないように構成し、表示部１１１の表示面の上層に取り付ける。そして、タッチパネル１２３における入力座標と、表示部１１１上の表示座標とを対応付ける。
【００２７】
これにより、恰もユーザが表示部１１１上に表示された画面を直接的に操作可能であるかのようなＧＵＩを構成することができる。システム制御部１０１はタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。
【００２８】
これらの操作や、タッチパネル上に指やペンが触れている位置座標は内部バスを通じてシステム制御部１０１に通知され、システム制御部１０１は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。
【００２９】
所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。また、タッチパネルを指やペンでムーブしながら特定領域に入る操作（以下、ムーブインと称する）、ムーブしながら特定領域から外に出る操作（以下、ムーブアウトと称する）を検知することもできる。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３０】
次に図２を用いてデジタルカメラ外観を説明する。図２−ａはデジタルカメラ本体を背面から見た図である。カメラ本体１００には表示部１１１と、表示部に重ねられ一体になったタッチパネル１２３が備えられている。表示部にはカメラ部からのスルー画像や記録媒体に記録された再生画像が表示され、そのスルー画像や再生画像の上にカメラの設定情報アイコンやタッチによって機能を実行するボタンが重畳表示されている。表示部左上にモードアイコン２０１があり、現在設定されている撮影モードの状態を示している。さらにこのモードアイコンはタッチボタンも兼ねておりユーザはこのボタン部分をタッチするとカメラの詳細モードを切り換える画面を表示することができる。
【００３１】
図２−ｂはデジタルカメラ本体を上面から見た図である。カメラの電源をＯＮ／ＯＦＦする電源ボタン１１８と、シャッターボタン１１６とモードダイヤル１１７が一体になった操作部材が備えられている。モードダイヤルは回転部材となっておりモードダイヤル周囲には撮影モードアイコン２０２が印刷されている。モードダイヤルを回転させることで指標２０３が指し示す撮影モードに切り換えることができる。
【００３２】
次に撮影モードの説明をする。図３はカメラで設定可能な撮影モード一覧である。大モードと詳細モードに分かれており大モードには前述の静止画全自動モード、静止画シーンモード、静止画応用モード、動画モードとなっている。大モードの切り換えはモードダイヤル１１７を用いて行う。静止画シーンモードには詳細モードとして人物を撮影するのに適したポートレートモード、風景のような遠景を撮影するのに適した風景モード、近く被写体にクロースアップして接写をするのに適したマクロモード、動く被写体を撮影するのに適したスポーツモードがある。
【００３３】
静止画応用モードにはシャッター速度、絞り値を任意に設定できるＭ（マニュアル）モード、任意のシャッター速度を選択すると被写体の明るさから適切な絞り値を自動的に選択するＴＶ（シャッター優先ＡＥ）モード、任意の絞り値を選択すると被写体の明るさから適切なシャッター速度を自動選択するＡＶ（絞り優先ＡＥ）モード、被写体の明るさからシャッター速度と絞り値を自動的に選択するＰ（プログラムＡＥ）モードがある。動画モードには露出を自動的に決定する動画Ｐモードと露出を任意に設定することができる動画Ｍモードある。前記詳細モードは、モードダイヤルで選択された大モードに属する詳細モードの中から選択可能である。
【００３４】
以下、モード切り換え時の処理の流れを図４のフロー図と図５の画面表示例を用いて説明する。
【００３５】
図４−ａはモード切り換え時に画面に表示される撮影モードガイド表示の処理を説明するフロー図である。始めに、前回記憶されたモードと現在のモードを比較する（Ｓ４０１）。両者が同じであればモード変更が生じていないためこのまま処理を終了する。また両者が異なっていたら新しいモードに変更されたと判断し、新しいモードを記憶させ（Ｓ４０２）、モードガイド表示処理を行う。まず画面中央にモードアイコンとモード名の文字列を表示する（Ｓ４０３）（図５−ａ）。所定時間表示を行った後、中央に表示されたモードガイドアイコンが画面左上のモードアイコン２０１に向かって縮小しながら移動していくようにアニメーション表示を行う（Ｓ４０４）（図５−ｂ〜ｃ）。
【００３６】
次に現在の大モードに詳細モードが２つ以上含まれているかを判別する（Ｓ４０５）。モードが２つ以上含まれている場合は詳細モード選択画面を開くことができるため、それをユーザに知らせるためのボタンガイドを表示させる（Ｓ４０６）（図５−ｄ）。詳細モードが１つだけの場合はモード選択画面を開くことができないためガイドの必要はなく、ボタンガイド表示を行わずに処理を終了する。
【００３７】
次にモードアイコンのタッチが無効の場合にガイダンスを表示する方法を図４−ｂを用いて説明する。処理が開始されるとモードガイド表示処理（Ｓ４１１）を行う。この処理の詳細は前述の図４−ａで説明した処理である。モードガイド表示処理が終了すると撮影通常画面（図５−ｅ）になる。撮影通常画面が表示された状態では周期的に撮影モード変更操作の動きを監視しており、モードダイヤルが回されたか否かの判別（Ｓ４１２）とモードアイコンがタッチされたか否かの判別（Ｓ４１４）を行っている。いずれの状態も変化が無い場合はＳ４１１に戻る。モードダイヤルが回されたと判断された場合（Ｓ４１２）、ダイヤルの変更位置に従った撮影モードへの変更処理（Ｓ４１３）が実行され、モードガイド表示処理（Ｓ４１１）が実行される。
【００３８】
モードアイコンがタッチされたと判断された場合（Ｓ４１４）、詳細モードが２つ以上含まれるかの判定を行う（Ｓ４１５）。本実施例では全自動モード以外の大モードでは複数の詳細モードを持つため、この場合は詳細モード切り換え画面を表示する処理（Ｓ４１６）を行う（図５−ｆ）。一方、撮影モードが全自動モードの場合（図５−ｇ）、切り換え可能な詳細モードが存在しないため詳細モード切り換え画面を表示する処理（Ｓ４１６）を実行しないためタッチ操作無効ガイダンスを所定時間表示し（Ｓ４１７）、撮影通常画面に戻る。
【００３９】
以上述べてきたように、無効となっているアイコンをタッチしても無反応であると、ダイヤルの位置によって無効になっていることに気づかないユーザが混乱する可能性があるためガイダンスを表示することで解決することができる。なお、本実施例ではユーザへのボタン無効通知を画面に表示されるガイダンスで行ったが、スピーカー１２４を用いて警告音として通知してもよく、また表示と警告音を併用することでより効果を高めることができる。
【符号の説明】
【００４０】
１００  デジタルカメラ      １０１  システム制御部      １０２  画像処理部
１０３  バリア      １０４  撮影レンズ      １０５  シャッター
１０６  撮像部      １０７  Ａ／Ｄ変換器      
【図１】
2014235197.tif 000003
【図２】
2014235197.tif 000004
【図３】
2014235197.tif 000005
【図４】
2014235197.tif 000006
【図５】
2014235197.tif 000007